(57)【要約】【課題】  電子メールを容易に、特にマルチメディア情報の添付を容易にして、作成するための技術を提供する。【解決手段】  複数のコンテンツデータを記憶する第１記憶手段と、電子メールの作成画面および当該作成画面における前記複数のコンテンツデータのレイアウトを記述したメールテンプレートを記憶する第２記憶手段と、前記メールテンプレートに従って、前記コンテンツデータを配列した電子メールの作成画面を表示手段に表示するとともに、入力手段を介したユーザの選択操作に対応してコンテンツデータを選択し、当該選択されたコンテンツデータを付加した電子メールファイルを作成する電子メール作成制御手段とを備える電子メールシステムである。【選択図】  図３
2005317038.tif 000002
【特許請求の範囲】
【請求項１】
複数のコンテンツデータを記憶する第１記憶手段と、
電子メールの作成画面および当該作成画面における前記複数のコンテンツデータのレイアウトを記述したメールテンプレートを記憶する第２記憶手段と、
前記メールテンプレートに従って、前記コンテンツデータを配列した電子メールの作成画面を表示手段に表示するとともに、入力手段を介したユーザの選択操作に対応してコンテンツデータを選択し、当該選択されたコンテンツデータを付加した電子メールファイルを作成する電子メール作成制御手段と
を備える電子メールシステム。
【請求項２】
前記メールテンプレートは、前記コンテンツデータに関係する質問画面および当該質問画面における回答選択肢の記述をさらに含み、
前記電子メール作成制御手段は前記回答選択肢を配列した前記質問画面を前記表示手段に表示するとともに、前記入力手段を介したユーザの選択動作に対応して回答データを作成し、当該回答データを付加した電子メールファイルを作成する、請求項１記載の電子メールシステム。
【請求項３】
コンテンツデータを付加した電子メールを作成する方法であって、
電子メールの作成画面情報および付加対象となるコンテンツデータの前記作成画面におけるレイアウト情報を記述したメールテンプレートを読み込むステップと、
前記作成画面情報および前記レイアウト情報に従って、前記コンテンツデータを可視的に表示するステップと、
ユーザに前記コンテンツデータのうち任意のものの選択を行わせるステップと、
当該選択されたコンテンツデータを付加した電子メールファイルを作成するステップとを含む方法。
【請求項４】
請求項３記載の電子メール作成方法において、
前記メールテンプレートは、前記コンテンツデータに関係する質問画面および当該質問画面における回答選択肢の記述をさらに含み、
さらに
前記回答選択肢を配列した前記質問画面を可視的に表示するステップと、
ユーザに前記回答選択肢のうち任意のものの選択を行わせるステップと、
当該選択された回答選択肢を付加した電子メールファイルを作成するステップと
を含む方法。
【請求項５】
コンテンツデータを付加した電子メールを作成するためのコンピュータプログラムであって、前記コンピュータプログラムは情報処理装置に、
前記電子メールの作成画面情報および付加対象となるコンテンツデータの前記作成画面におけるレイアウト情報を記述したメールテンプレートを読み込ませ、
前記作成画面情報および前記レイアウト情報に従って前記コンテンツデータを表示させ、
ユーザに前記コンテンツデータのうち任意のものの選択を行わせ、
当該選択されたコンテンツデータを付加した電子メールファイルを作成させる、ことを特徴とするコンピュータプログラム。
【請求項６】
前記メールテンプレートは、前記コンテンツデータに関係する質問画面および当該質問画面における回答選択肢の記述をさらに含み、
前記コンピュータプログラムはさらに情報処理装置に、
前記回答選択肢を配列した前記質問画面を可視的に表示させ、
ユーザに前記回答選択肢のうち任意のものの選択を行わせ、
当該選択された回答選択肢を付加した電子メールファイルを作成させる、請求項５記載のコンピュータプログラム。
【請求項７】
前記コンテンツデータは、テキストデータ、静止画データ、動画データ、サウンドデータのすべて、それらの一つ、またはそれらの組み合わせであることを特徴とする、請求項１記載の電子メールシステム。
【請求項８】
前記コンテンツデータは、テキストデータ、静止画データ、動画データ、サウンドデータのすべて、それらの一つ、またはそれらの組み合わせであることを特徴とする、請求項３記載の電子メール作成方法。
【請求項９】
前記コンテンツデータは、テキストデータ、静止画データ、動画データ、サウンドデータのすべて、それらの一つ、またはそれらの組み合わせであることを特徴とする、請求項５記載のコンピュータプログラム。
【請求項１０】
請求項５、６または９記載のコンピュータプログラムを記録したコンピュータ読み取り可能な記録媒体。
【請求項１１】
第１のコンテンツデータに関連する第２のコンテンツデータを記憶する第１記憶手段と、
電子メールの作成画面および当該作成画面における前記第２のコンテンツデータのレイアウトを記述したメールテンプレートを記憶する第２記憶手段と、
ユーザによる前記第１のコンテンツデータの視聴に伴って、前記メールテンプレートに従って前記第２のコンテンツデータを付加した電子メールファイルを作成する電子メール作成制御手段と
を備える電子メールシステム。
【請求項１２】
第１のコンテンツデータに関連する第２のコンテンツデータを付加した電子メールを作成する方法であって：
ユーザによる前記第１のコンテンツの視聴に伴って、電子メールの作成画面情報および付加対象となる前記第２のコンテンツデータの前記作成画面におけるレイアウト情報を記述したメールテンプレートを読み込むステップと、
前記メールテンプレートに従って前記第２のコンテンツデータを付加した電子メールファイルを作成するステップとを含む方法。
【請求項１３】
第１のコンテンツデータに関連する第２のコンテンツデータを付加した電子メールを作成するコンピュータプログラムであって、前記コンピュータプログラムは情報処理装置に：
ユーザによる前記第１のコンテンツの視聴に伴って、電子メールの作成画面情報および付加対象となる前記第２のコンテンツデータの前記作成画面におけるレイアウト情報を記述したメールテンプレートを読み込ませ、
前記メールテンプレートに従って前記第２のコンテンツデータを付加した電子メールファイルを作成させる、ことを特徴とするコンピュータプログラム。
【請求項１４】
前記コンテンツデータは、テキストデータ、静止画データ、動画データ、サウンドデータのすべて、それらの一つ、またはそれらの組み合わせであることを特徴とする、請求項１１記載の電子メールシステム。
【請求項１５】
前記コンテンツデータは、テキストデータ、静止画データ、動画データ、サウンドデータのすべて、それらの一つ、またはそれらの組み合わせであることを特徴とする請求項１２記載の電子メール作成方法。
【請求項１６】
前記コンテンツデータは、テキストデータ、静止画データ、動画データ、サウンドデータのすべて、それらの一つ、またはそれらの組み合わせであることを特徴とする、請求項１３記載のコンピュータプログラム。
【請求項１７】
請求項１３または１６記載のコンピュータプログラムを記録したコンピュータ読み取り可能な記録媒体。
【発明の詳細な説明】
【技術分野】
【０００１】
本発明は、電子メールにおける文書作成技術に関し、特に、マルチメディア情報、すなわち画像や音声などのコンテンツを含む電子メールの文書作成技術に関する。
【背景技術】
【０００２】
インターネットに代表される通信ネットワーク技術の普及により、様々な人が電子メールを用いて情報の交換を行うことが可能となっている。
また、今日のインターネット電子メール技術では、テキストによる文章の他に、画像（動画を含む）や音声などのコンテンツ、いわゆるマルチメディア情報を添付して送信することができる。電子メールのテキスト情報にマルチメディア情報を添付する形式としては、例えばＭＩＭＥ（Multi-purpose Internet Mail Extensions）が知られている。なお、以下の説明において、コンテンツとはテキスト、音声、動画、静止画、音声そのもの及びそれらを表現するデータの双方を意味する。加えて、ゲームデータやJava Appletのようにコンピュータにおいて実行されることでコンピュータそのものの制御を行いうるものも含まれる。
【０００３】
しかし、文章の入力は、キーボード操作、かな漢字変換操作に慣れていない人にとっては、時間のかかる作業である。さらに、画像や音声などのコンテンツの添付においては、操作者に、コンテンツ作成及びコンテンツ素材のオーサリングについてのある程度のスキルが要求される。オーサリングの一例としては、画像の切り出し、解像度の変更、サイズの変更、音声の切り出し、保存形式の変更などが挙げられる。
そのため、一般の人が自由に電子メール、特にマルチメディア情報としてのコンテンツを作成・編集してこれを添付した電子メールを作成することは難しかった。また、既に存在する画像や音声などを用いるには編集の有無に拘わらず著作権・肖像権の問題があり、著作権等を保有する権利者の許可なしに電子メールに添付し、送信することは法律上できない。例えば、インターネット上のウェブサイトから取得した写真画像を、その著作者等の許可なしに電子メールに添付して送信することは、著作権の侵害になる可能性がある。
【０００４】
一方、伝統的な情報交換手法の一つである絵はがきや各種グリーティングカード（クリスマスカード、バースデイカード等）といった郵便物では、郵便物の消印や絵柄などから伺い知ることのできる送信者の状況やカードデザインの選択などの送信行為そのものが、文面よりも重要になることがある。つまり、絵はがきやグリーティングカードなどによる情報交換では、多くの場合、文面よりも、送信者の状況情報（旅行中である等）を受信者に伝えることが重要になっている。
【０００５】
電子メールを用いて、上記に示すような郵便物と同じような効果を演出しようとする場合、マルチメディア情報としてのコンテンツの添付は、必須の要件と考えられる。添付されたコンテンツにより、受信者は、送信者の状況を、文章のみの電子メールよりも具体的に知ることができるからである。しかし、前述のような理由により、マルチメディア情報としてのコンテンツの電子メールへの添付は困難である。
【発明の開示】
【発明が解決しようとする課題】
【０００６】
本発明は、上記のような問題に鑑み、電子メールを容易に、特にマルチメディア情報としてのコンテンツの添付を容易にして、作成するための技術を提供することを目的とする。
【課題を解決するための手段】
【０００７】
上記課題に対応した本発明の電子メールシステムは、複数のコンテンツデータを記憶する第１記憶手段と、電子メールの作成画面および当該作成画面における前記複数のコンテンツデータのレイアウトを記述したメールテンプレートを記憶する第２記憶手段と、前記メールテンプレートに従って、前記コンテンツデータを配列した電子メールの作成画面を表示手段に表示するとともに、入力手段を介したユーザの選択操作に対応してコンテンツデータを選択し、当該選択されたコンテンツデータを付加した電子メールファイルを作成する電子メール作成制御手段とを備える、ことを特徴とする。コンテンツデータとは、コンテンツを構成するデジタルデータを意味する。
【０００８】
上記メールテンプレートは、前記コンテンツデータに関係する質問画面および当該質問画面における回答選択肢の記述をさらに含み、前記電子メール作成制御手段は前記回答選択肢を配列した前記質問画面を前記表示手段に表示するとともに、前記入力手段を介したユーザの選択動作に対応して回答データを作成し、当該回答データを付加した電子メールを作成するものとすることができる。
【０００９】
また、上記課題に対応した本発明の他の電子メールシステムは、第１のコンテンツデータに関連する第２のコンテンツデータを記憶する第１記憶手段と、電子メールの作成画面および当該作成画面における前記第２のコンテンツデータのレイアウトを記述したメールテンプレートを記憶する第２記憶手段と、ユーザによる前記第１のコンテンツデータの視聴に伴って、前記メールテンプレートに従って前記第２のコンテンツデータを付加した電子メールファイルを作成する電子メール作成制御手段とを備える、ことを特徴とする。
【００１０】
上記課題に対応した本発明の電子メール作成方法は、コンテンツデータを付加した電子メールを作成する方法であって、電子メールの作成画面情報および付加対象となるコンテンツデータの前記作成画面におけるレイアウト情報を記述したメールテンプレートを読み込む処理と、前記作成画面情報および前記レイアウト情報に従って、前記コンテンツデータを可視的に表示する処理と、ユーザに前記コンテンツデータのうち任意のものの選択を行わせる処理と、当該選択されたコンテンツデータを付加した電子メールファイルを作成する処理とを含む、ことを特徴とする。
【００１１】
上記メールテンプレートは、前記コンテンツデータに関係する質問画面および当該質問画面における回答選択肢の記述をさらに含み、前記回答選択肢を配列した前記質問画面を可視的に表示する処理と、ユーザに前記回答選択肢のうち任意のものの選択を行わせる処理と、当該選択された回答選択肢を付加した電子メールファイルを作成する処理とをさらに含むものとすることができる。
【００１２】
また、上記課題に対応した本発明の電子メール作成方法は、第１のコンテンツデータに関連する第２のコンテンツデータを付加した電子メールを作成する方法であって、ユーザによる前記第１のコンテンツの視聴に伴って、電子メールの作成画面情報および付加対象となる前記第２のコンテンツデータの前記作成画面におけるレイアウト情報を記述したメールテンプレートを読み込むステップ、及び前記メールテンプレートに従って前記第２のコンテンツデータを付加した電子メールファイルを作成するステップを含む、ことを特徴とする。
【００１３】
上記課題に対応した本発明のコンピュータプログラムは、コンテンツデータを付加した電子メールを作成するためのコンピュータプログラムであって、前記コンピュータプログラムは情報処理装置に、前記電子メールの作成画面情報および付加対象となるコンテンツデータの前記作成画面におけるレイアウト情報を記述したメールテンプレートを読み込ませ、前記作成画面情報および前記レイアウト情報に従って前記コンテンツデータを可視的に表示させ、ユーザに前記コンテンツデータのうち任意のものの選択を行わせ、当該選択されたコンテンツデータを付加した電子メールファイルを作成させる、ことを特徴とする。
【００１４】
上記メールテンプレートは、前記コンテンツデータに関係する質問画面および当該質問画面における回答選択肢の記述をさらに含み、前記コンピュータプログラムは情報処理装置に、前記回答選択肢を配列した前記質問画面を可視的に表示させ、ユーザに前記回答選択肢のうち任意のものの選択を行わせ、当該選択された回答選択肢を付加した電子メールファイルを作成させるものとすることができる。
【００１５】
また、上記課題に対応した本発明の他のコンピュータプログラムは、第１のコンテンツデータに関連する第２のコンテンツデータを付加した電子メールを作成するコンピュータプログラムであって、前記コンピュータプログラムは情報処理装置に、ユーザによる前記第１のコンテンツの視聴に伴って、電子メールの作成画面情報および付加対象となる前記第２のコンテンツデータの前記作成画面におけるレイアウト情報を記述したメールテンプレートを読み込ませ、前記メールテンプレートに従って前記第２のコンテンツデータを付加した電子メールファイルを作成させる、ことを特徴とする。
【００１６】
上記電子メールシステム、電子メール作成方法またはコンピュータプログラムにおいて、コンテンツデータは、テキストデータ、静止画データ、動画データ、サウンドデータからなる選択肢のうち、それらすべて、それらのうちの任意の一つ、またはそれらの組み合わせとすることができる。
【００１７】
上記コンピュータプログラムは、コンピュータ読み取り可能な記録媒体に記録して提供することができる。
【発明の効果】
【００１８】
ユーザは、マルチメディア情報としてのコンテンツを再生して楽しむ他に、コンテンツに対応した電子メールプログラムを用いて、使用許諾コンテンツの映像や音声と、メール文例から選択した文章とにより構成された電子メールを作成し、他のユーザへ送信することが可能となる。これにより、コンテンツ利用時のリアルタイムな状況を反映した高品質な添付データ付メールを、高級なオーサリングシステムなしに、簡単な選択操作で作成することができる。これにより、ユーザの意図、状況データの発信を容易にできる。
また、コンテンツの提供者においても、いわば口コミレベルの宣伝を期待できるとともに、コンテンツ提供側で提供するコンテンツの内容、フォーマット等をコントロールできるため、高品質のコンテンツデータの提供へのインセンティブが湧き、使用許諾し易いというメリットがある。
【発明を実施するための最良の形態】
【００１９】
以下、本発明の実施形態を詳細に説明する。
図１は、本発明の一実施形態を説明するための全体構成図である。
【００２０】
マルチメディア情報としてのコンテンツの供給を行うコンテンツ供給サーバ１０と、ユーザへコンテンツを視聴可能に再生する端末装置２０とが、インターネットなどの不特定のユーザが接続可能なネットワークＬを介して接続されている。ここで、ネットワークＬは、これに接続されている装置が、それぞれ目的とする装置に対してセッションを確立した時に、その間で情報の送受信ができるように作用する。なお、図１においてネットワークＬは単純化されて表示されているが、その構成は実際にはより複雑である。例えば、インターネットの場合には、ゲートウェイを介して複数のネットワークが組み合わされて構成される。また、その接続についても、いわゆるバックボーンといわれる基幹線に直接接続される場合に限られず、ＰＰＰ(Point to Point Protocol)接続等によって一時的に接続してあっても、セッションが確立された時にその間で情報の送受信ができるようになっていればよい。図１ではネットワークの一部を単一の通信線で表現しているが、実際には複数の通信線が多様に接続されうるものである。
【００２１】
コンテンツ供給サーバ１０は、ネットワークＬに接続されており、端末装置２０との間でデータの送受信が可能な情報処理装置である。コンテンツ供給サーバ１０は、データとしてのコンテンツが記録されるコンテンツデータベース（以下、データベースをＤＢという。）１１、コンテンツを利用した電子メール機能を実現するプログラム（電子メールプログラム）が記録された電子メールプログラムＤＢ１２、コンテンツに関する映像や音楽の中でユーザに対して電子メールによる配信等の使用を許可したコンテンツ（使用許諾コンテンツ）が記録される使用許諾コンテンツＤＢ１３、コンテンツに対応したメールテンプレート（電子メール文例）が記録されるメールテンプレートＤＢ１４を備えている。
【００２２】
コンテンツＤＢ１１は、このコンテンツ供給サーバ１０から供給される映画や音楽、ビデオゲームなどのコンテンツがデータとして記録されており、ネットワークＬを介して端末装置２０から要求があると、要求のあったコンテンツデータが読み出される。
【００２３】
電子メールプログラムＤＢ１２は、コンテンツＤＢ１１に記録されているコンテンツに応じてカスタマイズされた電子メール機能を実現する電子メールプログラムが、記録される。
使用許諾コンテンツＤＢ１３は、コンテンツＤＢ１１に記録されているコンテンツ毎に、ユーザに対して使用許諾したコンテンツ、例えば、映画の予告や宣伝用ポスター、ＣＤのジャケットなどの画像や、音楽の一部などの音声が記録される。
【００２４】
メールテンプレートＤＢ１４は、コンテンツＤＢ１１に記録されているコンテンツに対応したメールテンプレートが記録される。メールテンプレートには、文例ベースのもの、レイアウトベースのもの、提供データ（フレーズ、カット）ベースのもの、完成メールベースのものがある。これらは後述するアンケートの実施を含め、コンテンツ提供者の恣意的な戦略で決定され、メール作成ルールで指定される。
【００２５】
メールテンプレートは、最終的に生成する電子メールフォーマットのいわば前駆体の形体をしている。つまり、メールフォーマットと制御コードとから構成される。メールフォーマットは文章以外に使用する使用許諾コンテンツとそれらのレイアウト表現を他の端末装置で等価に表示できるようにするための言語・規則である。具体的には、ＸＭＬ(Extensible Markup Language)＋ＪＡＶＡ（商標）を使用してメールテンプレートを実現できる。この場合、ＸＭＬはメールフォーマットに対応し、ＪＡＶＡは制御コードに対応する。ＸＭＬやＪＡＶＡは単なる例示であり、メールフォーマットとしては、他に広く流通しているＨＴＭＬ（Hyper Text Markup Language）等の構造化言語を用いても良く、また、制御コードとしては、Ｗｉｎｄｏｗｓ等のＯＳが解釈可能な他の制御コード、例えばActiveX等を用いても良い。
【００２６】
例えば、コンテンツが映画の場合、このコンテンツに対応したメールテンプレートは、この映画に対応する使用許諾コンテンツ（映像、静止画、音楽等）のありかを指定する情報と、それらの電子メール中における配置情報、映画のセールスポイントや映画の感想などの、第三者がこの映画に関心を抱くような文章例およびそれらの配置情報を含んで構成される。
【００２７】
コンテンツ供給サーバ１０は、操作端末２０からの要求により、以上のようなデータベースから、コンテンツや、電子メールプログラム、使用許諾コンテンツ、それぞれのコンテンツに対応したメールテンプレートを、要求元の端末装置２０に供給する。
【００２８】
端末装置２０は、ネットワークＬに接続されており、他の端末装置２０やコンテンツ供給サーバ１０との間で情報の送受信が可能なパーソナルコンピュータ、エンターテインメントシステム等の情報処理装置である。端末装置２０は、コンテンツ供給サーバ１０からネットワークＬを介してコンテンツデータを取得するとともに、取得したコンテンツデータをユーザへ視聴可能に再生する。
【００２９】
端末装置２０は、上記のコンテンツ、使用許諾コンテンツ、電子メールプログラム、メールテンプレートをコンテンツ供給サーバ１０から取得するかわりに、ＣＤ（Compact Disc）やＤＶＤ（Digital Versatile Disc）等のメディアを再生する装置を備えて、それらのメディアからそれらを取得するようにしてもよい。
【００３０】
コンテンツが記録されるメディアには、コンテンツを構成するデータの他に、当該コンテンツに対応した電子メールプログラムや使用許諾コンテンツ、当該コンテンツ用にカスタマイズされたメールテンプレートを記録することもできる。
【００３１】
また、電子メールプログラムや使用許諾コンテンツ、メールテンプレートをダウンロード可能なウェブサイトを上記コンテンツ供給サーバ１０とは別に設けてもよい。このウェブサイトも、ネットワークＬを介してコンテンツ供給サーバ１０、端末装置２０間でデータ送受信が可能である。その場合にはそれらのデータのネットワーク上の位置情報（例：URL； Universal Resource Locator、またはＩＰアドレス）を、コンテンツから参照できるようにしておけばよい。
【００３２】
そのようなウェブサイトには、コンテンツを正規に購入した者のみが取得することができるパスワードまたはキーを設定しておけば、コンテンツの正規ユーザのみの利用を可能にすることができる。以上説明した通り、電子メールプログラムや使用許諾コンテンツ、メールテンプレートの供給形態には種々のものが存在可能であり、いずれの組み合わせであっても本発明の思想に叶ったものとなる。
【００３３】
端末装置２０は、コンテンツ供給サーバ１０や上記の各種メディア、ウェブサイトから取得した電子メールプログラムおよびメールテンプレートを実行することにより、コンテンツを利用した電子メールの作成、送信が可能となる。また、他の端末装置２０から送信された、コンテンツを含む電子メールを受信して、ユーザに視聴可能に再生する機能も有する。これにより、端末装置２０のユーザは、コンテンツを利用した電子メールの送受信が可能となる。
【００３４】
図２は、端末装置２０として使用可能な情報処理装置の構成図の一例である。この端末装置（情報処理装置）２０は、ネットワークＬに接続可能である他に、メディアの再生機能も有しており、映像や音声の視聴の他にビデオゲームも行えるエンタテインメント装置である。
この端末装置２０は、メインバスＢ１とサブバスＢ２の２本のバスを有している。これらのバスＢ１、Ｂ２がバスインタフェースＩＮＴを介して互いに接続され又は切り離されるようになっている。
【００３５】
メインバスＢ１には、メインＣＰＵ２０１と、ＲＡＭで構成されるメインメモリ２０２と、メインＤＭＡＣ（Direct Memory Access Controller）２０３と、ＭＰＥＧ（Moving Picture Experts Group）デコーダ（ＭＤＥＣ）２０４と、フレームメモリ２０６を内蔵する描画処理装置（graphic processing unit、以下、「ＧＰＵ」）２０５が接続される。ＧＰＵ２０５には、ビデオ出力信号を生成するＣＲＴＣ（CRT controller）２０７が接続される。
【００３６】
メインＣＰＵ２０１は、端末装置２０の起動時にサブバスＢ２上のＲＯＭ２１１から、バスインタフェースＩＮＴを介して起動プログラムを読み込み、その起動プログラムを実行してオペレーティングシステムを動作させる。また、メディアドライブ２１６を制御するとともに、このメディアドライブ２１６に装着されたメディア２１７からアプリケーションプログラムやデータを読み出し、これをメインメモリ２０２に記憶させる。さらに、メディア２１７から読み出した各種データ、例えば複数の基本図形（ポリゴン）で構成された３次元オブジェクトデータ（ポリゴンの頂点（代表点）の座標値など）に対して、ジオメトリ処理を行う。ジオメトリ処理によりポリゴン定義情報をその内容とするディスプレイリストを生成する。
【００３７】
ポリゴン定義情報は、描画領域設定情報とポリゴン情報とからなる。描画領域設定情報は、描画領域のフレームバッファアドレスにおけるオフセット座標と、描画領域の外部にポリゴンの座標があった場合に、描画をキャンセルするための描画クリッピング領域の座標からなる。ポリゴン情報は、ポリゴン属性情報と頂点情報とからなり、ポリゴン属性情報は、シェーディングモード、αブレンディングモード、テクスチャマッピングモード、及びバンプマッピングモード等を指定する情報であり、頂点情報は、頂点描画領域内座標、頂点テクスチャ領域内座標、および頂点色等の情報である。
【００３８】
ＧＰＵ２０５は、描画コンテクストを保持しており、メインＣＰＵ２０１から通知されるディスプレイリストに含まれる画像コンテクストの識別情報に基づいて該当する描画コンテクストを読み出し、これを用いてレンダリング処理を行い、フレームメモリ２０６にポリゴンを描画する。フレームメモリ２０６は、テクスチャメモリとしても使用できるため、フレームメモリ２０６上のピクセルイメージをテクスチャとして描画するポリゴンに貼り付けることができる。
【００３９】
メインＤＭＡＣ２０３は、メインバスＢ１に接続されている各回路を対象としてＤＭＡ（Direct Memory Access）転送制御を行うとともに、バスインタフェースＩＮＴの状態に応じて、サブバスＢ２に接続されている各回路を対象としてＤＭＡ転送制御を行う。
【００４０】
ＭＤＥＣ２０４は、メインＣＰＵ２０１と並列に動作し、ＭＰＥＧ方式あるいはＪＰＥＧ（Joint Photographic Experts Group）方式等で圧縮されたコンテンツデータを伸張する。
【００４１】
サブバスＢ２には、マイクロプロセッサなどで構成されるサブＣＰＵ２０８、ＲＡＭで構成されるサブメモリ２０９、サブＤＭＡＣ２１０、オペレーティングシステムなどのプログラムが記憶されているＲＯＭ２１１、サウンドメモリ２１３に蓄積された音データを読み出してオーディオ出力として出力する音声処理装置（ＳＰＵ（sound processing unit））２１２、ネットワークＬを介してコンテンツ供給サーバ１０などの外部装置と情報の送受信を行う通信制御部（ＡＴＭ）２１４、ハードディスク等の大容量記録装置で構成される補助記憶装置２１５、ＣＤやＤＶＤなどのメデイア２１７を装着するためのメディアドライブ２１６及び入力部２１８が接続されている。
【００４２】
サブＣＰＵ２０８は、ＲＯＭ２１１に記憶されているプログラムに従って各種動作を行う。サブＤＭＡＣ２１０は、バスインタフェースＩＮＴがメインバスＢ１とサブバスＢ２を切り離している状態においてのみ、サブバスＢ２に接続されている各回路を対象としてＤＭＡ転送などの制御を行う。
【００４３】
ＡＴＭ２１４は、コンテンツ供給サーバ１０からコンテンツや電子メールプログラム等を受信する。受信したコンテンツは、直ちに再生してビデオ出力やオーディオ出力するようにしてもよく、また、補助記憶装置２１５に書き込んで記憶するようにしてもよい。入力部２１８は、操作装置（コントローラ）２２０からの入力信号が入力される接続端子２１９を備える。ユーザは、操作装置２２０により、各種入力を行うこととなる。
【００４４】
図３は、端末装置２０が、コンテンツ供給サーバ１０（好ましくは電子メールプログラムＤＢ１２）やメディア２１７から取得した電子メールプログラムを、メインＣＰＵ２０１などにより実行した際に生成される電子メール機能の機能ブロック図であり、情報入力部２３０、制御部２３１、表示部２３２、電子メール作成部２３３、ネットワークインターフェイス部２３４、システム情報記録部２３５、使用許諾コンテンツ記録部２３６、メールテンプレート記録部２３７、電子メール解析部２３８、受信メール記録部２３９を備える。
【００４５】
電子メールプログラムは、コンテンツの視聴前、後あるいは視聴中のいずれのタイミングで実行できるようにしてもよい。
例えば、コンテンツの視聴後に、視聴したユーザが、当該コンテンツに関する電子メールを第三者（知人、友人等）に対して送信できるようにするときは、コンテンツの終了処理後、ディスプレイ上に電子メールを作成するか否かの質問を表示する。このとき、ユーザが電子メールの作成を選択することにより、ディスプレイに電子メール作成画面が表示されるようにすると、ユーザにとって扱いやすいものになる。
もしくは、コンテンツの視聴前後、あるいは視聴中においてコンテンツ側からの指令に応じて電子メールプログラムが自動的に起動するようにしても良く、さらには、コンテンツの視聴前後、あるいは視聴中において端末装置２０のＯＳが独自に起動タイミングを判断して電子メールプログラムを自動的に起動するようにしても良い。
【００４６】
電子メール作成の指示があると、端末装置２０は、コンテンツの供給元（コンテンツ供給サーバ１０又はメディア２１７）や、電子メールプログラム、使用許諾コンテンツ、メールテンプレートを提供するウェブサイトから、当該コンテンツの電子メールプログラム、使用許諾コンテンツ、メールテンプレートを取得する。
【００４７】
情報入力部２３０は、操作装置２２０からの入力により、電子メール作成に必要な種々の情報を受け付ける。入力された情報は制御部２３１へ送られる。
【００４８】
制御部２３１は、情報入力部２３０から入力される情報に応じて、各種処理の制御を行う。例えば、表示部２３２により所定の画像をディスプレイに表示させたり、電子メール作成部２３３に電子メールの作成に必要な情報を送る。
【００４９】
表示部２３２は、制御部２３１からの指示により、ディスプレイに所定の画像を表示する。
電子メール作成部２３３は、制御部２３１からの指示により、メールテンプレート記録部２３７からメールテンプレートを読み出し、使用許諾コンテンツ記録部２３６から文字、画像、音声などを読み出し、これらの読み出した情報をもとに電子メール作成のための対話画面を作成する。また、電子メール作成部２３３は、システム情報記録部２３５から必要なシステム情報（時間等）を、上記対話画面に反映する。
【００５０】
ネットワークインターフェイス部２３４は、電子メール作成部２３３により作成された電子メールを、ネットワークＬを介して送信先に送信し、またネットワークインターフェイス部２３４は、コンテンツ提供サーバ１０、ウェブサイト等から上記各種のデータを受信し、電子メール作成部２３３に供給する。
システム情報記録部２３５は、端末装置２０内のシステム情報や、コンテンツの視聴履歴、ユーザの個人情報（名前、年齢、性別、住所等）などが記録される。使用許諾コンテンツ記録部２３６は、コンテンツの供給元から取得した使用許諾コンテンツが記録される。メールテンプレート記録部２３７は、コンテンツの供給源から取得したメールテンプレートが記録される。
【００５１】
電子メール解析部２３８は、他の端末装置２０からネットワークインターフェイス部２３４を介して受信した電子メールの解析を行う。受信メール記録部２３９は、受信された電子メールを記録する。
【００５２】
＜実施例１＞
以上のような、コンテンツ供給サーバ１０、端末装置２０により、図４に示すフローチャートのようにして電子メールの作成、送信が可能になる。この実施例では、コンテンツとして映画を視聴した場合について説明する。
【００５３】
端末装置２０は、映画のコンテンツデータをコンテンツ供給サーバ１０又はメディア２１７から取得して再生する（ステップＳ１０１）。ユーザは、端末装置２０により映画の視聴が可能となる。端末装置２０は、映画終了時に、所定のディスプレイに、この映画の画像や音声を利用した電子メールを作成するか否かを表示させる（ステップＳ１０２）。ユーザが電子メール作成を希望しない場合は（ステップＳ１０２：N）、処理を終了する。
【００５４】
ユーザが電子メール作成を希望する場合は（ステップＳ１０２：Y）、コンテンツ供給サーバ１０又はメディア２１７から電子メールプログラムを読み込んで実行する（ステップＳ１０３）。これにより、端末装置２０内に図３に示すような機能ブロックが生成される。
【００５５】
電子メールプログラムは、コンテンツ供給サーバ１０やメディア２１７の他に、例えば、いずれかのウェブサーバ上にこの映画の公式ホームページを設けておき、ここから取得するようにしてもよい。公式ホームページから取得する場合は、例えば、映画コンテンツデータの取得時に公式ホームページのウェブアドレス、すなわちＵＲＬやＩＰアドレスなどのネットワーク上の位置情報を同時に取得するようにし、ユーザが電子メール作成を希望したときに、この公式ホームページに自動的に接続して電子メールプログラムをダウンロードするようにすればよい。公式ホームページは、電子メールプログラムの他に、この映画に関する使用許諾コンテンツ（プロモーションカットや、ＢＧＭ、映画音楽のさわりのフレーズ等）と、メールテンプレートを保持してもよく、これらコンテンツ等が保持されている場合には、これらも同時にダウンロードすることが好ましい。
【００５６】
まず、電子メールプログラムは、メールテンプレート記録部２３７からこのコンテンツに対応したメールテンプレートを読み込み、その内容に従って以後の処理を実行する。
【００５７】
つぎに、制御部２３１が、表示部２３２を介してディスプレイに、図５に示すような画面を表示させる。ユーザが、操作装置２２０を用いて、この画面の各項目に入力することにより個人情報の入力が行われる（ステップＳ１０４）。図５に示す例では、個人情報として、名前、性別、生年月日、郵便番号、住所を入力するようになっている。なお、システム情報記録部２３５に予めこれらの情報が記録されている場合は、この情報を読み込んで表示し、ユーザに内容の確認を求めるようにしてもよい。
【００５８】
個人情報の入力が終了すると、図６に示すような画面がディスプレイに表示される。ユーザが、操作装置２２０を用いて、この画面の各項目から回答を選択することにより、視聴した映画に関するアンケートへの入力が行われる（ステップＳ１０５）。回答を、操作装置２２０により画面上から選択して入力するようにすることで、複雑な操作による入力を行う必要はなくなる。これらの回答項目および選択肢は、映画の供給側が提供する情報であって、メールテンプレート中に埋め込まれるかまたは使用許諾コンテンツの一つとして提供される。
【００５９】
次いで、図７に示すような画面がディスプレイに表示される。この画面から、ユーザが、映画の使用許諾コンテンツを選択することにより、電子メールに使用される使用許諾コンテンツが決定する（ステップＳ１０６）。
【００６０】
さらに詳細には、制御部２３１が、使用許諾コンテンツ記録部２３６に記録された使用が許可されている画像や音声に対応するアイコンのリストを、ディスプレイに表示させる。ユーザが、これらのアイコンから自分の好みの使用許諾コンテンツに対応するアイコンを選択することで、電子メールに使用する使用許諾コンテンツを決定する。
【００６１】
図７の例では、使用許諾コンテンツとして、３種類のポスター、３種類の映画のシーン（動画）、３種類のＢＧＭが用意されており、ユーザはそれぞれの中から、１つを選択可能である。制御部２３１は、３種類のポスターの各々に対応付けられたアイコン、３種類の映画のシーンの各々に対応付けられたアイコン、３種類のＢＧＭの各々に対応付けられたアイコンをディスプレイに表示させる。ユーザは、操作装置２２０により、ポスターのアイコン、映画のシーンのアイコン、ＢＧＭのアイコンを各々一つずつ選択する。
【００６２】
次いで、図８に示すような画面が表示される。この画面から、ユーザが、電子メールの文章を選択することにより、電子メールに使用される文章が決定する（ステップＳ１０７）。
詳細には、制御部２３１がまず、電子メール文例記録部２３７に記録されている文例を、ディスプレイの画面に表示させる。この例では、映画の供給側が用意する文例として、この映画を褒める内容、電子メールの受信者が文章から映画を見たくなるような内容、のものをメールテンプレート内に複数用意して選択させるようにしている。ユーザが文例を選択する手法は、図８に示すように複数の文例をプルダウンメニューにより表示し、ユーザに選択させる手法が挙げられるが、既知の他の手法を用いてもよいことは言うまでもない。文例を、操作装置２２０によりディスプレイの画面上からユーザが選択して入力するようにすることで、複雑な操作による入力を行う必要はなくなる。
【００６３】
このとき、電子メールの送付先は、ユーザに操作装置２２０を用いて入力させるか、またはシステム情報記録部２３５に予め記録されている送付先アドレスのリストの中から選択させるようにすればよい。送付先アドレスのリストの中から電子メールの送付先を選択させる手法については既知であり、詳細な説明はここでは省略するが、一例として、図８に示すように、送付先アドレスのリストをプルダウンメニューにより表示し、ユーザに選択させる手法が挙げられる。
【００６４】
電子メール作成部２３３は、これらの入力、選択を編集して、電子メールを作成する（ステップＳ１０８）。制御部２３１は、選択された使用許諾コンテンツを示す情報と、選択された文例を示す情報を電子メール作成部２３３へ送る。電子メール作成部２３３は、これらの情報から、該当する使用許諾コンテンツ及び文例を、それぞれ使用許諾コンテンツ記録部２３６、電子メール文例記録部２３７から取り込んで、所定の電子メールのフォーマットに嵌め込む。また、システム情報記録部２３５から、日付や時刻などの情報を取り込んで同じフォーマットの所定の場所に嵌め込む。このようにして、電子メールを作成する。
上記の電子メールの作成手順および各画面の表示制御は上記メールテンプレートによって定義される。したがって、メールテンプレートはコンテンツ毎に個別に作成される。
【００６５】
完成した電子メールは、電子メール作成部２３３から制御部２３１へ送られ、ここから表示部２３２を介してディスプレイの画面に表示される。完成した電子メールは、例えば、図９に示すようなものである。ユーザは、完成した電子メールを確認し、そのまま送信してよい場合には、操作装置２２０を用いて「送信」ボタンを選択する（ステップＳ１０９：ＹＥＳ）。送信ボタンが選択されると、電子メール作成部２３３からネットワークインターフェイス部２３４を介して、電子メールが送信される（ステップＳ１１０）。
このとき、上記電子メールの作成過程でユーザが入力したアンケートの回答データをコンテンツ供給サーバまたは他のサーバ（映画会社のサーバ）に送信してもよい。これによって、映画会社は、ユーザの映画に関する感想等を自動的に収集することが可能になる。
【００６６】
一方、完成した電子メールを送信せずに終了したい場合には、ユーザは操作装置２２０を用いて「キャンセル」ボタンを選択する（ステップＳ１０９：ＮＯ）。この場合、電子メールプログラムは、作成した電子メールを送信することなく終了する（ステップＳ１１１）。
【００６７】
上記の「送信」、「キャンセル」の指示は、操作端末２０や操作装置２２０に電子メールの送信・キャンセルを指示するためのボタンを用意しておき、これをユーザが操作することにより行うようにしてもよい。
【００６８】
ここで、図９の画面の右上に表示されているボタンは、このメールを受け取ったユーザがこの映画コンテンツを５０%引きで購入できるようにする割引クレジット付き注文ボタンである。実際には、このボタンが選択されたときに起動する発注処理プログラムが電子メールに埋め込まれる。このメールを受け取ったユーザが、このボタンを選択すると、端末装置２０上で上記発注処理プログラムが動作して、インターネット上のコンテンツ販売サーバにアクセスし、映画コンテンツ等の注文・決済処理が可能となる。あるいは、この割引クレジット付き注文ボタンには、上述のコンテンツ販売サーバのＵＲＬがリンクされ、ユーザがボタンを選択すると当該ＵＲＬにアクセスするようにしてもよい。
【００６９】
以上のように、本実施例によれば、ユーザによる複雑な入力を極力抑えて、操作装置２２０による選択により画像、音声、文章からなる電子メールを作成可能となる。ユーザは、マルチメディア技術に関して特別な知識を持たなくても、容易に、マルチメディア情報が添付された電子メールを作成できるようになる。また、映画による感動（ユーザのそのときの状況情報）を、映画を画像やＢＧＭを利用して電子メールにより第三者に伝えることが可能となる。
【００７０】
＜実施例２＞
本発明は、コンテンツとしてビデオゲームを使用した場合についても適用できる。
ビデオゲーム、特にＲＰＧ(Roll Playing Game)では、ゲームの開始とともに様々なイベントが実行される。例えば、ゲーム開始時のキャラクタの名前の入力や、ゲーム中の街での買い物、探検などのイベントである。これらのイベントの進行に合わせた電子メールを作成させるメールテンプレートが考えられる。
【００７１】
ビデオゲームの進行中は、ゲームの進行により変化するゲームの履歴やそのときの得点などのゲームに関する情報（状況情報）が、システム情報記録部２３５に記録される。ユーザから、電子メール作成の指示があると、制御部２３１がシステム情報記録部２３５内の状況情報を参照してその時点で使用可能なメールテンプレートをメールテンプレート記録部２３７から取り込み、その時点の状況情報に基づいたメール作成画面をディスプレイに表示させる。実施例１と同様に、ユーザが、予めメールテンプレートに定義された使用許諾コンテンツや文例から、好みのものを選択する。選択された使用許諾コンテンツや例文から電子メールが作成される。例えば、ゲームの進行に従い、次のような場面でその場面に沿った使用許諾コンテンツや文例をユーザに提供することができる。
【００７２】
（１）ゲームのスタート時
ゲームの購入を友人に伝えるメールテンプレートとして、購入履歴、オープニングカット、選択したキャラクタの名前、キャラクタ画像、編成チーム構成情報および画像などの使用許諾コンテンツを提供する。
（２）ゲームの進行中１
進行状況を伝えるメールテンプレートとして、ゲーム内履歴、ゲーム内状況（チーム状況など）、関門キャラクタ情報、関門イベントカット、秘境イベントの画像（絵葉書）、ゲームのヒント等の使用許諾コンテンツを提供する。
（３）ゲームの進行中２
同じゲームで遊んでいる友人にゲーム情報の交換またはゲーム内価値のプレゼントをするメールテンプレートとして、ゲーム内得点、ゲーム内ツールデータ、アイテムデータ等の使用許諾コンテンツを提供する。
（４）ゲームの進行中３
ゲーム供給者またはその関係会社にゲーム関連商品の注文のためのメールテンプレートとして、実商品の注文表、注文確認、承認、商品あて先、配送商品添付メールなどの使用許諾コンテンツを提供する。
（５）ゲームの終了後
友人にゲームの感想を伝えるメールテンプレートとして、ゲーム内履歴、思いでイベント、ゲームのヒント、ゲームの感想などの使用許諾コンテンツを提供する。
【００７３】
これにより、各場面におけるメールは絵はがきのようにユーザの体験状況を伝えることが可能となる。また、ビデオゲームの宣伝にもなる。
【００７４】
また、上述したように、ユーザのリアルタイムの状況情報を添付して、ゲーム供給者または他のプレイヤーに電子メールを送ることができる。
【００７５】
例えば、次の場面へ進むために、ゲームのヒント情報が欲しいユーザは、ゲームをしながらゲーム供給者に問い合わせ電子メールを送ることができる。問い合わせメールを受け取ったゲーム供給者は、添付されたユーザのリアルタイムの状況情報を参照できるので、不用意な情報露出（ネタばれ）を防ぎながら、ユーザに適切な（ユーザの要求に応えつつ、ゲーム進行、演出を阻害しない）ヒントを与えることができる。
【００７６】
また、他のプレイヤーとの間でも、電子メールを介して、ゲームに関する円滑なコミュニケーションが図れる。以上の説明の具体的内容はＲＰＧに即したものになっているが、ＲＰＧに限らずアクションゲーム、シミュレーションゲーム等種々のゲームに適用可能である。好ましくは、ゲームの進行に伴うゲーム履歴がユーザにとって何等かの意味又は価値を有するゲームに適用可能である。
【００７７】
＜実施例３＞
本発明は、コンテンツとして、地図・観光データベースを使用した場合にも適用できる。
最近では、カーナビゲーションシステムや、携帯電話等のモバイル情報端末に小型の外部メモリ装置を装着した構成において、カーナビゲーションシステム又はモバイル情報端末が取得した位置情報をカーナビゲーションシステム内のメモリ装置又は外部メモリ装置に記憶させることが可能になっている。このようなモバイル情報端末等が取得した位置情報は、ユーザの行動状況を示す有力なデータであるため、外部メモリ装置から（またはモバイル情報端末、カーナビゲーションシステムから直接）、端末装置２０にそのような位置情報を転送させ、地図・観光データベース上でユーザの行動軌跡を特定し、その行動軌跡から地図・観光データベース内の観光情報を検索して訪問地のデータを豊富に盛り込んだメールの作成を可能にすることができる。ここで、地図・観光データベースとは、地名、駅名、ランドマーク名、経度緯度情報等を指定すると対応する位置を含む領域を示す地図イメージを表示するとともに、その領域内に存在する観光に関係する情報をも提供するデータベースをいう。
【００７８】
例えば、ユーザが鎌倉に行ったとすると、その位置情報から地図データベースでユーザの移動ルートを表示した地図コンテンツや、途中立ち寄った名所・旧跡等の写真コンテンツおよびその説明文コンテンツを選択して電子メールを作成させるメールテンプレートを提供する。これにより、ユーザは簡単に自分の旅行を知らせるメールをルート地図および各所の写真付きで作成することが可能になる。
【００７９】
以上、本発明を特定の実施形態および実施例に則して説明したが、本発明は上記実施形態等に限定されるものではない。一例として、上述した実施形態、実施例における各々のサーバは単一の情報処理装置により実現される必要はなく、複数の情報処理装置が協働して所定の情報処理を行うことにより実現されてもよい。
【図面の簡単な説明】
【００８０】
【図１】本発明の実施形態の全体構成図。
【図２】上記実施形態における端末装置２０の構成図。
【図３】本発明に従った電子メール機能の機能ブロック図。
【図４】電子メールの作成手順を示すフローチャート。
【図５】電子メールの作成過程における表示画面を示す図。
【図６】電子メールの作成過程における表示画面を示す図。
【図７】電子メールの作成過程における表示画面を示す図。
【図８】電子メールの作成過程における表示画面を示す図。
【図９】電子メールの作成過程における表示画面を示す図。
【符号の説明】
【００８１】
１０  コンテンツ供給サーバ
１１  コンテンツＤＢ
１２  電子メールプログラムＤＢ
１３  使用許諾コンテンツＤＢ
１４  メールテンプレートＤＢ
２０  端末装置
２３０  情報入力部
２３１  制御部
２３２  表示部
２３３  電子メール作成部
２３４  ネットワークインターフェイス部
２３５  システム情報記録部
２３６  使用許諾コンテンツ記録部
２３７  メールテンプレート記録部
２３８  電子メール解析部
２３９  受信メール記録部
【図１】
2005317038.tif 000003
【図２】
2005317038.tif 000004
【図３】
2005317038.tif 000005
【図４】
2005317038.tif 000006
【図５】
2005317038.tif 000007
【図６】
2005317038.tif 000008
【図７】
2005317038.tif 000009
【図８】
2005317038.tif 000010
【図９】
2005317038.tif 000011
【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
位置情報を取得する手段と、
地図および観光に関する情報をコンテンツとして記憶する記憶手段と、
前記位置情報に対応した地図および観光に関する情報を前記記憶手段から読み出し、行動軌跡に対応する電子メール作成画面を供給する電子メール作成制御手段とを備える電子メールシステム。
【請求項２】
取得した位置情報を記憶する軌跡記憶手段をさらに備える、請求項１記載の電子メールシステム。
【請求項３】
前記記憶手段には、地図、写真またはそれらの説明文に関する情報を含む電子メール作成画面のレイアウトを記述したメールテンプレートがさらに記憶され、
前記電子メール作成制御手段は、前記位置情報を参照して、行動軌跡に対応するメールテンプレートを前記記憶手段から読み出して、前記地図および観光に関する情報を選択可能に提示するための電子メール作成画面を供給する、請求項１または２記載の電子メールシステム。
【請求項４】
電子メールを作成するための方法であって、
位置情報を取得する処理と、
地図および観光に関する情報をコンテンツとして記憶させた記憶手段から、前記位置情報に対応するコンテンツを読み出す処理と、
読み出されたコンテンツを使用して、行動軌跡に対応する電子メール作成画面を供給する処理とを含む方法。
【請求項５】
地図、写真またはそれらの説明文に関する情報を含む電子メール作成画面のレイアウトを記述したメールテンプレートのなかから、前記位置情報を参照して、行動軌跡に対応するメールテンプレートを読み出して、読み出されたメールテンプレートに従って前記コンテンツを選択可能に提示するための電子メール作成画面を供給する処理をさらに含む、請求項４記載の方法。
【請求項６】
電子メールを作成するためのコンピュータプログラムであって、前記コンピュータプログラムは情報処理装置に、
位置情報を取得させ、
地図および観光に関する情報をコンテンツとして記憶させた記憶手段から、前記位置情報に対応するコンテンツを読み出させ、
読み出されたコンテンツを使用して、行動軌跡に対応する電子メール作成画面を供給させる、コンピュータプログラム。
【請求項７】
情報処理装置に、地図、写真またはそれらの説明文に関する情報を含む電子メール作成画面のレイアウトを記述したメールテンプレートのなかから、前記位置情報を参照して、行動軌跡に対応するメールテンプレートを読み出させ、読み出されたメールテンプレートに従って前記コンテンツを選択可能に提示するための電子メール作成画面を供給させる、請求項６記載のコンピュータプログラム。
【請求項８】
請求項６または７記載のコンピュータプログラムを記録したコンピュータ読み取り可能な記録媒体。
【手続補正２】
【補正対象書類名】明細書
【補正対象項目名】０００７
【補正方法】変更
【補正の内容】
【０００７】
上記課題に対応した本発明の電子メールシステムは、位置情報を取得する手段と、地図および観光に関する情報をコンテンツとして記憶する記憶手段と、前記位置情報に対応した地図および観光に関する情報を前記記憶手段から読み出し、行動軌跡に対応する電子メール作成画面を供給する電子メール作成制御手段とを備える、ことを特徴とする。電子メールシステムは、取得した位置情報を記憶する軌跡記憶手段をさらに備えていてもよい。
【手続補正３】
【補正対象書類名】明細書
【補正対象項目名】０００８
【補正方法】変更
【補正の内容】
【０００８】
前記記憶手段に、地図、写真またはそれらの説明文に関する情報を含む電子メール作成画面のレイアウトを記述したメールテンプレートをさらに記憶させ、前記電子メール作成制御手段は、前記位置情報を参照して、行動軌跡に対応するメールテンプレートを前記記憶手段から読み出して、前記地図および観光に関する情報を選択可能に提示するための電子メール作成画面を供給するようにしてもよい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
上記課題に対応した本発明の電子メール作成方法は、位置情報を取得する処理と、地図および観光に関する情報をコンテンツとして記憶させた記憶手段から、前記位置情報に対応するコンテンツを読み出す処理と、読み出されたコンテンツを使用して、行動軌跡に対応する電子メール作成画面を供給する処理とを含む、ことを特徴とする。
【手続補正６】
【補正対象書類名】明細書
【補正対象項目名】００１１
【補正方法】変更
【補正の内容】
【００１１】
前記方法は、地図、写真またはそれらの説明文に関する情報を含む電子メール作成画面のレイアウトを記述したメールテンプレートのなかから、前記位置情報を参照して、行動軌跡に対応するメールテンプレートを読み出して、読み出されたメールテンプレートに従って前記コンテンツを選択可能に提示するための電子メール作成画面を供給する処理をさらに含んでいてもよい。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
上記課題に対応した本発明のコンピュータプログラムは、電子メールを作成するためのコンピュータプログラムであって、前記コンピュータプログラムは情報処理装置に、位置情報を取得させ、地図および観光に関する情報をコンテンツとして記憶させた記憶手段から、前記位置情報に対応するコンテンツを読み出させ、読み出されたコンテンツを使用して、行動軌跡に対応する電子メール作成画面を供給させる、ことを特徴とする。
【手続補正９】
【補正対象書類名】明細書
【補正対象項目名】００１４
【補正方法】変更
【補正の内容】
【００１４】
前記コンピュータプログラムはさらに、情報処理装置に、地図、写真またはそれらの説明文に関する情報を含む電子メール作成画面のレイアウトを記述したメールテンプレートのなかから、前記位置情報を参照して、行動軌跡に対応するメールテンプレートを読み出させ、読み出されたメールテンプレートに従って前記コンテンツを選択可能に提示するための電子メール作成画面を供給させることができる。
【手続補正１０】
【補正対象書類名】明細書
【補正対象項目名】００１５
【補正方法】削除
【補正の内容】